(57)【要約】【課題】  筆記性能の低下を阻むことができ、且つ簡素な構造を有するキャップ付き筆記具を提供する。【解決手段】  軸筒１０と、軸筒１０から突出した筆記部２０と、筆記部２０に被せられたキャップ部４０と、キャップ部４０を前端側に接続したアーム部５０とを備え、キャップ部４０は、軸筒１０に相対し筆記部軸方向に沿って後退することにより筆記部２０に被さり逆方向へ前進することにより筆記部２０から離隔するように設けられ、アーム部５０は、筆記部２０から離隔した状態のキャップ部４０を、筆記部軸方向に対する交差方向へ回動させるように軸筒１０に枢支されている。【選択図】  図１
2014091226.tif 000002
【特許請求の範囲】
【請求項１】
軸筒と、該軸筒から突出した筆記部と、該筆記部に被せられたキャップ部と、該キャップ部を前端側に接続したアーム部とを備え、
前記キャップ部は、前記軸筒に相対し筆記部軸方向に沿って後退することにより前記筆記部に被さり逆方向へ前進することにより前記筆記部から離隔するように設けられ、
前記アーム部は、前記筆記部から離隔した状態の前記キャップ部を、筆記部軸方向に対する交差方向へ回動させるように前記軸筒に枢支されていることを特徴とするキャップ付き筆記具。
【請求項２】
前記アーム部は、前記軸筒に対し筆記部軸方向へ進退するように枢支され、この進退によって前記キャップ部を前記筆記部に被せたり前記筆記部から離隔したりすることを特徴とする請求項１記載のキャップ付き筆記具。
【請求項３】
前記キャップ部が前記筆記部から離隔して筆記部軸方向に対する交差方向へ所定量回動した状態で、前記キャップ部及び前記アーム部を後退させるように、前記アーム部を前記軸筒に支持したことを特徴とする請求項２記載のキャップ付き筆記具。
【請求項４】
前記軸筒には、前記キャップ部が前記筆記部に被さったり離隔したりする際に前記アーム部の進退を案内する第一の案内溝と、前記キャップ部が前記筆記部から離隔し所定量回動した状態で進退する際に前記アーム部の進退を案内する第二の案内溝とが設けられることを特徴とする請求項３記載のキャップ付き筆記具。
【請求項５】
前記軸筒の側部にガイド凸部を設けるとともに、前記アーム部には前記ガイド凸部に嵌り合う長尺状の被ガイド凹部を設け、
前記アーム部が筆記部軸方向へ進退する際には、前記ガイド凸部が前記被ガイド凹部を該被ガイド凹部の長手方向へ案内し、前記アーム部が所定量回動する際には、前記ガイド凸部が前記被ガイド凹部の長手方向の後端部に位置して前記アーム部を回動させる回転軸になることを特徴とする請求項３又は４記載のキャップ付き筆記具。
【請求項６】
前記ガイド凸部を第一のガイド凸部とするとともに、前記被ガイド凹部を第一の被ガイド凹部とし、
前記軸筒に第二のガイド凸部を設けるとともに、前記アーム部には第二のガイド凸部に嵌り合う第二の被ガイド凹部を設け、
第二の被ガイド凹部は、前記キャップ部が前記筆記部に被さったり前記キャップ部が前記筆記部から離隔したりする際に前記アーム部の進退を案内する第一案内部と、前記キャップ部が前記筆記部から離隔した状態で回動する際に前記アーム部の回動を案内する第二案内部と、前記キャップ部が前記筆記部から離隔し所定量回動した状態で進退する際に前記アーム部の進退を案内する第三案内部とを連通してなることを特徴とする請求項５記載のキャップ付き筆記具。
【請求項７】
前記軸筒は、筆記部軸方向に対し直交する一方向の寸法が、該一方向に直交し且つ筆記部軸方向に対しても直交する他方向の寸法よりも小さい扁平状に形成され、前記キャップ部及び前記アーム部は、前記他方向に沿って回動するように設けられていることを特徴とする請求項１乃至６何れか１項記載のキャップ付き筆記具。
【請求項８】
前記軸筒は、前記一方向における一端側の面に接続部を有するとともに、同一方向における他端側の面には、前記接続部に着脱可能な被接続部を有することを特徴とする請求項１乃至７何れか１項記載のキャップ付き筆記具。
【発明の詳細な説明】
【技術分野】
【０００１】
本発明は、着脱されるキャップによって筆記部を覆ったり露出したりするようにしたキャップ付き筆記具に関するものである。
【背景技術】
【０００２】
この種の従来技術には、例えば特許文献１に記載のもののように、軸筒（ペン軸１）と、該軸筒の前端側に固定された筆記部（ペン先３）と、該筆記部を切欠状の保持部（１１）によって部分的に覆う封緘具（９）と、該封緘具（９）を一端側に有するとともに他端側が前記軸筒に枢支された枠杆（４）とを備え、筆記部（ペン先３）から封緘具（９）を外す際には、該筆記部（ペン先３）に対し封緘具（９）の切欠状の保持部（１１）を交差方向へ通過させるようにして、封緘具（９）を回動させるようにしたボールペンがある。
また、他の従来技術としては、例えば特許文献２に記載のもののように、軸筒（外側バレル１２）と、該軸筒の前端側に突出可能に没入された筆記部（ペン先１６）と、前記軸筒の前端開口を塞ぐキャップ（２０）と、該キャップを一端側に有するとともに他端側が前記軸筒に枢支されたアーム（１８）と、該アーム（１８）の回転運動を筆記部（ペン先１６）の直線運動に変換するギヤ歯（３２）及びスリーブギヤ歯（２８）とを備え、キャップ（２０）の開放動作に伴うアーム（１８）の回動に連動して、筆記部（ペン先１６）を軸筒前端から突出させ、同アーム（１８）の逆方向の回動に連動して筆記部（ペン先１６）を軸筒前端に没入させるようにした「ペン先が引き込み自在式の筆記具」が知られている。
これら従来の筆記具によれば、軸筒からキャップを完全に分離しないで用いるため、キャップの紛失を防ぐことができる。
【０００３】
しかしながら、前者の従来技術では、切欠状の前記保持部によってボールペンチップである筆記具を保護するものなので、前記保持部の側方側が外部に連通しており、筆記部を密閉することができない。このため、万が一筆記部からインク漏れを生じた場合には漏れたインクを外部へ流出させてしまうおそれがある。特に、前記筆記部をサインペンやマーカーペンのペン先として構成した場合には、該ペン先を密閉するのが困難であり、前記のようなインク流出に加えて、インクを揮発させてしまうおそれもある。
また、後者の従来技術では、筆記部が前後方向へ移動する構造であるため、筆記の際に、筆圧の変化によって筆記部が前後へがたつくおそれがある。その上、アームの回動に連動して筆記部を出没させるようにしているため、その機構が複雑であった。
【先行技術文献】
【特許文献】
【０００４】
【特許文献１】実開昭６１−７００８２号公報
【特許文献２】特表２０１１−５００３７１号公報
【発明の概要】
【発明が解決しようとする課題】
【０００５】
本発明は上記従来事情に鑑みてなされたものであり、その課題とする処は、キャップの紛失を防ぐことができる上、筆記性能の低下を阻むことができ、且つ簡素な構造を有するキャップ付き筆記具を提供することにある。
【課題を解決するための手段】
【０００６】
上記課題を解決するための一手段は、軸筒と、該軸筒から突出した筆記部と、該筆記部に被せられたキャップ部と、該キャップ部を前端側に接続したアーム部とを備え、前記キャップ部は、前記軸筒に相対し筆記部軸方向に沿って後退することにより前記筆記部に被さり逆方向へ前進することにより前記筆記部から離隔するように設けられ、前記アーム部は、前記筆記部から離隔した状態の前記キャップ部を、筆記部軸方向に対する交差方向へ回動させるように前記軸筒に枢支されていることを特徴とする。
【発明の効果】
【０００７】
本発明は、以上説明したように構成されているので、キャップの紛失を防ぐことができる上、筆記性能の低下を阻むことができ、且つ簡素な構造を有するキャップ付き筆記具を提供することができる。
【図面の簡単な説明】
【０００８】
【図１】本発明に係るキャップ付き筆記具の一例を示す斜視図。
【図２】同キャップ付き筆記具の動作説明図。
【図３】同キャップ付き筆記具の側面図。
【図４】図２の（IV）‐（IV）線断面図。
【図５】同キャップ付き筆記具について、要部を切欠して示す動作説明図であり、（ａ）は筆記部にキャップ部を被せた状態、（ｂ）は筆記部からキャップ部を引き離した状態を示す。
【図６】同キャップ付き筆記具について、要部を切欠して示す動作説明図であり、（ｃ）は筆記部から離隔したキャップ部を回動させた状態、（ｄ）は回動させたキャップ部を後退させた状態を示す。
【図７】同キャップ付き筆記具の使用状態図。
【図８】同キャップ付き筆記具を複数連結した状態を示す。
【図９】本発明に係るキャップ付き筆記具の他例を示す斜視図。
【図１０】図８のキャップ付き筆記具の動作を示す断面図であり、（ａ）は筆記部にキャップ部を被せた状態、（ｂ）は筆記部からキャップ部が引き離された状態を示す。
【図１１】同キャップ付き筆記具の動作を示す断面図であり、（ｃ）はキャップ部を回動させた状態、（ｄ）は回動後のキャップ部を前進させた状態を示す。
【発明を実施するための形態】
【０００９】
本実施の形態の第一の特徴は、軸筒と、該軸筒から突出した筆記部と、該筆記部に被せられたキャップ部と、該キャップ部を前端側に接続したアーム部とを備え、前記キャップ部は、前記軸筒に相対し筆記部軸方向に沿って後退することにより前記筆記部に被さり逆方向へ前進することにより前記筆記部から離隔するように設けられ、前記アーム部は、前記筆記部から離隔した状態の前記キャップ部を、筆記部軸方向に対する交差方向へ回動させるように前記軸筒に枢支されている。
この構成によれば、キャップ部を筆記部軸方向に沿って進退させて筆記部に被せたり同筆記部から離隔したりすることができる上、キャップ部を筆記部から離隔した状態では、アーム部を回転させることにより、キャップ部及びアーム部が筆記の邪魔にならないようにすることができる。
また、キャップ部を筆記部軸方向へ進退させて着脱する構造であるため、キャップ部を筆記部周方向へ連続するように形成して、該キャップ部による密閉性を向上することが可能である。また、筆記部を軸筒に相対し進退させるような従来機構が不要である。
よって、キャップ部の紛失を防ぐことができる上、筆記性能の低下を阻むことができ、且つ簡素な構造とすることができる。
【００１０】
第二の特徴としては、前記アーム部は、前記軸筒に対し筆記部軸方向へ進退するように枢支され、この進退によって前記キャップ部を前記筆記部に被せたり前記筆記部から離隔したりする。
この構成によれば、アーム部を進退可能に枢支する構造によってキャップ部を進退させることができ、その進退構造を、具体的な簡素構造とすることができる。
【００１１】
第三の特徴としては、前記キャップ部が前記筆記部から離隔して筆記部軸方向に対する交差方向へ所定量回動した状態で、前記キャップ部及び前記アーム部を後退させるように、前記アーム部を前記軸筒に支持した。
この構成によれば、キャップ部を回動させた状態で更に後退させることができ、ひいては、筆記部から外されたキャップ部が筆記時に邪魔になるようなことを、より効果的に防ぐことができる。
【００１２】
第四の特徴としては、前記軸筒には、前記キャップ部が前記筆記部に被さったり離隔したりする際に前記アーム部の進退を案内する第一の案内溝と、前記キャップ部が前記筆記部から離隔し所定量回動した状態で進退する際に前記アーム部の進退を案内する第二の案内溝とが設けられる。
この構成によれば、キャップ部が筆記部に被さったり離隔したりする際には、アーム部を第一の案内溝に導かせて進退させることができ、キャップ部が筆記部から離隔し回動した際には、同アームを第二の案内溝に導かせて進退させることができる。
【００１３】
第五の特徴としては、前記軸筒の側部にガイド凸部を設けるとともに、前記アーム部には前記ガイド凸部に嵌り合う長尺状の被ガイド凹部を設け、前記アーム部が筆記部軸方向へ進退する際には、前記ガイド凸部が前記被ガイド凹部を該被ガイド凹部の長手方向へ案内し、前記アーム部が所定量回動する際には、前記ガイド凸部が前記被ガイド凹部の長手方向の後端部に位置して前記アーム部を回動させる回転軸になる。
この構成によれば、キャップ部が筆記部に被さったり離隔したりする際には、軸筒側のガイド凸部を、アーム部の長尺状の被ガイド凹部に嵌め合せて、キャップ及びアーム部の進退動作を安定させることができる。
また、アーム部を所定量回動させる際には、ガイド凸部が前記被ガイド凹部の長手方向の後端部に位置するため、キャップ及びアーム部の回動を安定させることができる。
【００１４】
第六の特徴としては、前記ガイド凸部を第一のガイド凸部とするとともに、前記被ガイド凹部を第一の被ガイド凹部とし、前記軸筒に第二のガイド凸部を設けるとともに、前記アーム部には第二のガイド凸部に嵌り合う第二の被ガイド凹部を設け、第二の被ガイド凹部は、前記キャップ部が前記筆記部に被さったり前記キャップ部が前記筆記部から離隔したりする際に前記アーム部の進退を案内する第一案内部と、前記キャップ部が前記筆記部から離隔した状態で回動する際に前記アーム部の回動を案内する第二案内部と、前記キャップ部が前記筆記部から離隔し所定量回動した状態で進退する際に前記アーム部の進退を案内する第三案内部とを連通してなる。
この構成によれば、キャップ及びアームを前進させて回動し後退させるという、一連の動作を安定的にスムーズに行うことができる。
【００１５】
第七の特徴としては、前記軸筒は、筆記部軸方向に対し直交する一方向の寸法が、該一方向に直交し且つ筆記部軸方向に対しても直交する他方向の寸法よりも小さい扁平状に形成され、前記キャップ部及び前記アーム部は、前記他方向に沿って回動するように設けられている。
この構成によれば、アーム部の進退のための面積範囲を比較的広く確保することができ、ひいては、アーム部の進退動作を安定的にスムーズに行うことができる。
【００１６】
第八の特徴としては、前記軸筒は、前記一方向における一端側の面に接続部を有するとともに、同一方向における他端側の面には、前記接続部に着脱可能な被接続部を有する。
この構成によれば、複数のキャップ付き筆記具を省スペースに接続することができ、ひいては、当該キャップ付き筆記具の収納性や搬送性等を向上することが可能になる。
【００１７】
また、更に好ましい特徴としては、アーム部の動作をより安定的かつスムーズに行うために、前記アーム部は、前記軸筒を間に置くようにして一対に設けられる。
【００１８】
なお、本明細書中、「筆記部軸方向」とは、筆記部の中心線の延びる方向を意味する。また、「前」とは、キャップが軸筒から離れる方向側を意味する。また、「後」とは、キャップが軸筒に近づく方向側を意味する。また、「筆記部径方向」とは、筆記部軸方向に対し直交する方向を意味する。
【００１９】
次に、上記形態の好ましい具体例を、図面に基づいて詳細に説明する。
【００２０】
＜キャップ付き筆記具１について＞
キャップ付き筆記具１は、図１〜図４に示すように、軸筒１０と、該軸筒１０に不動に設けられた筆記部２０と、軸筒１０内で筆記部２０へインクを供給するインク含浸体３０と、筆記部２０に被せられたキャップ部４０と、該キャップ部４０を前端側に接続するとともにその後端側が軸筒１０に支持されたアーム部５０とを具備している。
【００２１】
軸筒１０は、インク含浸体３０を内在する本体部１１と、該本体部１１から前方へ突出して筆記部２０を保持する筒状保持部１２とを有する。
【００２２】
本体部１１は、筆記部軸方向に対し直交する一方向（図８の上下方向）の寸法が、該一方向に直交し且つ筆記部軸方向に対しても直交する他方向（図２の上下方向）の寸法よりも小さい扁平状に形成され、その内部に、インク含浸体３０を内在する円筒状のインク収容室１１ａを有する。なお、図３中、符号１１ａ１は、インク含浸体３０を支持する複数のリブである。
この本体部１１は、図示例によれば、厚み方向（換言すれば、前記一方向あるいは図８の上下方向）へ分割された一半部１０ａと他半部１０ｂとを凹凸嵌合することで構成される（図１及び図３参照）。図３中の符号１０ｂ１は、前記他半部１０ｂの一部分であり、前記一半部１０ａ内のインク収容室１１ａの内側面に嵌り合う略筒状の嵌合部である。
なお、本体部１１の他例としては、例えば、筆記部軸方向の前後に分割された複数の部材からなる態様等とすることも可能である。
【００２３】
また、本体部１１の側部（詳細には、本体部１１の厚み方向の両端部の外面）には、アーム部５０を筆記部軸方向（図２の左右方向）へ案内する第一の案内溝１１ｂと、キャップ部４０が筆記部２０から離隔し所定角度回動した状態で同アーム部５０を前後へ案内する第二の案内溝１１ｃと、これら第一の案内溝１１ｂと第二の案内溝１１ｃの交差部分に位置する第一のガイド凸部１１ｄ及び第二のガイド凸部１１ｅとが具備される（図１〜図２参照）。
【００２４】
第一の案内溝１１ｂは、アーム部５０の幅と略同幅であって且つアーム部５０の厚みと同等の深さに形成されるとともに、筆記部２０の軸方向へ延設された断面凹状の溝であり、アーム部５０を前後へスライド可能に嵌め合せる。
【００２５】
第二の案内溝１１ｃは、第一の案内溝１１ｂと同断面形状の溝であり、第一の案内溝１１ｂに対し傾斜して交差するように配置され、アーム部５０を前後へスライド可能に嵌め合せる。この第二の案内溝１１ｃ内の後端側には、後方へ移動した際のアーム部５０の後端部に当接して、アーム部５０の後方への移動を規制する規制突起１１ｃ１が設けられる。
【００２６】
また、これら第一の案内溝１１ｂ及び第二の案内溝１１ｃの交差部分の底面には、第一のガイド凸部１１ｄ及び第二のガイド凸部１１ｅが設けられる。
第一のガイド凸部１１ｄと第二のガイド凸部１１ｅの各々は、筆記部軸方向に対し略直交する方向へ突出する円柱状の突起であり、後述するアーム部５０に嵌り合ってアーム部５０の移動を案内する。
【００２７】
また、本体部１１の厚み方向の一方の外面と、他方の外面には、第一の案内溝１１ｂ及び第二の案内溝１１ｃに重ならない位置に、接続部１１ｆ及び被接続部１１ｇ（図８参照）が複数設けられる。
接続部１１ｆは、横断面が十字状の凸部である。被接続部１１ｇは、接続部１１ｆと略同形状の凹部であり、接続部１１ｆに対し嵌脱可能に形成される。
なお、図示例では、接続部１１ｆ及び被接続部１１ｇを十字状に形成することで、これらの接続強度を向上するようにしているが、他例としては、接続部１１ｆ及び被接続部１１ｇを図示例以外の形状（例えば、円柱状や、多角形状等）とすることも可能である。
【００２８】
また、筒状保持部１２は、本体部１１前端から筆記部軸方向に沿って前方へ突出するとともに、その内部をインク収容室１１ａに連通させた円筒状に形成されている。この筒状保持部１２は、図示例によれば、本体部１１と一体に成形されているが、本体部１１とは別体の部材を本体部１１に対し接続した構成とすることも可能である。
この筒状保持部１２の内周面には、筆記部２０の外周面に当接して該筆記部２０を保持する複数の縦リブ１２ａが、周方向に間隔を置いて設けられる。この縦リブ１２ａ間の空間は、インク含浸体３０のインクの吐出に伴って外気をインク収容室１１ａ内へ導入する通気路として作用する。
図示例の筒状保持部１２は、本体部１１の長手方向（図３によれば左上から右下にわたる斜め方向）に対し、所定角度傾斜して設けられる。前記所定角度は、当該キャップ付き筆記具１が把持されて筆記が行われた際（図７参照）に、筆記部２０の直線状部分２１が被筆記面Ｘに平行に当接するように、適宜に設定される。
【００２９】
筆記部２０は、多数の合成繊維を集束してなる軸状の繊維集束体であり、その後端部を本体部１１内でインク含浸体３０に圧入させるとともに、前端部を本体部１１前端の筒状保持部１２から前方へ突出しており、インク含浸体３０に含浸されたインクを、多数の繊維間の毛細管力によって前方へ導く（図３参照）。
この筆記部２０の前端部は、図示例によれば、前方へ向かって厚みを徐々に狭くした楔状に形成され、その突端の傾斜する直線状部分２１が被筆記面Ｘ（図７参照）に当接されるようにしている。このような形状の筆記部２０は、チゼルタイプと呼称される場合がある。
前記直線状部分２１は、軸筒径方向に対し傾斜し且つ扁平状の本体部１１の厚み方向の両端面に平行する直線状に形成される。この構成によれば、軸筒１０が厚み方向に挟まれて把持され筆記が行われた際（図７参照）に、最大限に太い線を筆記することが可能となる。
【００３０】
インク含浸体３０は、多数の合成繊維からなる中綿又はフェルトにインクを含浸させたものである。
【００３１】
キャップ部４０は、前端側を閉鎖した有底円筒状に形成され、軸筒１０に相対し筆記部軸方向に沿って後退することにより筆記部２０に被さり、逆方向へ前進することにより筆記部２０から離れるように設けられる。
このキャップ部４０は、後端側の内縁を軸筒１０の筒状保持部１２前端外周面に全周にわたって嵌め合せ、内部を気密に保持する。
このキャップ部４０は、アーム部５０の前端に一体的に接続され、図示例によれば、アーム部５０と一体成形されるが、他例としては、アーム部５０とは別体の部材をアーム部５０に接続した態様とすることも可能である。
【００３２】
アーム部５０は、キャップ部４０を筆記部２０に被せたり筆記部２０から離隔したりするように筆記部軸方向へ進退可能であって、筆記部２０から離隔した状態のキャップ部４０を筆記部軸方向に対する交差方向へ所定量回動可能であって、且つ、筆記部２０から離隔して前記交差方向へ所定量回動した状態のキャップ部４０が進退可能となるように、軸筒１０に対し枢支されている。
このアーム部５０は、軸筒１０を間に置くようにして一対に設けられる。そして、これら一対のアーム部５０，５０の前端側は、キャップ部４０の後端側に接続され、同アーム部５０，５０の後端側は、軸筒１０の厚み方向端面の第一の案内溝１１ｂ，第二の案内溝１１ｃ，第二のガイド凸部１１ｅ，第一のガイド凸部１１ｄ等に嵌り合う。
【００３３】
より詳細に説明すれば、各アーム部５０は、筆記部軸方向へ長尺な矩形平板状を呈し、キャップ部４０が筆記部２０に着脱される際には、第一の案内溝１１ｂに嵌り合って進退し、キャップ部４０が筆記部２０から離隔して所定量回動した状態では、第二の案内溝１１ｃに嵌り合って進退する。
各アーム部５０には、軸筒１０の第一のガイド凸部１１ｄに嵌り合う長尺状の第一の被ガイド凹部５１と、軸筒１０の第二のガイド凸部１１ｅに嵌り合う第二の被ガイド凹部５２とが設けられる。
【００３４】
第一の被ガイド凹部５１は、図示例によれば、アーム部５０の長手方向へわたる直線長尺状の貫通孔であり、軸筒１０側の第一のガイド凸部１１ｄに遊嵌している。
この第一の被ガイド凹部５１の長さは、キャップ部４０が筆記部２０に被さったり筆記部２０から離隔したりすることが可能であって、且つ、キャップ部４０が筆記部２０から離隔し所定量回動した状態で、アーム部５０が軸筒１０側へ収納されたり軸筒１０側から突出したりすることが可能となるように、適宜に設定されている。
また、この第一の被ガイド凹部５１は、キャップ部４０が筆記部２０から離隔して回動する際には、該第一の被ガイド凹部５１の後端部を第一のガイド凸部１１ｄに当接させる。すなわち、第一のガイド凸部１１ｄが、第一の被ガイド凹部５１の長手方向の後端部に位置してアーム部５０を回動させる際の回転軸になる（図５（ｂ）〜図６（ｃ）参照）。
【００３５】
また、第二の被ガイド凹部５２は、図２に示すように、キャップ部４０が筆記部２０に被さったりキャップ部４０が筆記部２０から離隔したりする際にアーム部５０の進退を案内する第一案内部５２ａと、キャップ部４０が筆記部２０から離隔した状態で回動する際にアーム部５０の回動を案内する第二案内部５２ｂと、キャップ部４０が筆記部２０から離隔し所定量回動した状態で進退する際にアーム部５０の進退を案内する第三案内部５２ｃとを連通してなる。
【００３６】
第一案内部５２ａは、アーム部５０の長手方向に沿う直線状の貫通孔である。この第一案内部５２ａの長さは、キャップ部４０が筆記部２０に被さったり筆記部２０から離隔して筆記部２０を露出したりするように適宜に設定されている。
【００３７】
第二案内部５２ｂは、アーム部５０が回動する際の回動軌跡に沿う円弧状の貫通孔であり、一端側を第一案内部５２ａに連通するとともに、他端側を第三案内部５２ｃに連通している。
【００３８】
第三案内部５２ｃは、第一案内部５２ａと略平行であって第一案内部５２ａよりも長い直線状の貫通孔である。この第三案内部５２ｃの長さは、キャップ部４０が筆記部２０から離隔し所定量回動した状態で、アーム部５０が軸筒１０側へ収納されたり軸筒１０側から突出したりすることが可能となるように、適宜に設定されている。
この第三案内部５２ｃの前端側の両側面には、該第三案内部５２ｃの幅を部分的に狭めるようにして、乗越え突起５２ｃ１，５２ｃ１が設けられる。この乗越え突起５２ｃ１は、第三案内部５２ｃの前端から、ほぼ第二のガイド凸部１１ｅの外径分だけ後方へ離れた位置に配置される。
両乗越え突起５２ｃ１，５２ｃ１の間隔は、第二のガイド凸部１１ｅの外径よりも若干小さい寸法に設定される。
この構成によれば、アーム部５０を第二の案内溝１１ｃに沿って後退させると、第二のガイド凸部１１ｅが、両乗越え突起５２ｃ１，５２ｃ１間を弾性的に広げ、これら乗越え突起５２ｃ１，５２ｃ１を乗越えて第三案内部５２ｃの最前端部に位置する。したがって、アーム部５０は、筆記時に手に触れる等しても容易に移動しないように保持される。
また、前記状態からアーム部５０を強制的に前進させた場合には、第二のガイド凸部１１ｅが、両乗越え突起５２ｃ１，５２ｃ１を逆方向へ乗り越えて、アーム部５０は自在に進退するようになる。
なお、図示例によれば、第三案内部５２ｃ前端側の両方の側面に乗越え突起５２ｃ１を設けるようにしているが、他例としては、一方の側面のみに乗越え突起５２ｃ１を設けるようにしてもよい。
【００３９】
次に、上記構成のキャップ付き筆記具１について、その特徴的な作用効果を詳細に説明する。
【００４０】
図５（ａ）に示す筆記部収納状態では、筆記部２０にキャップ部４０が覆い被せられ、キャップ部４０の後端側の内周面が、軸筒１０における筒状保持部１２の前端側外周面に対し全周にわたって密接して嵌合している。
したがって、この状態では、万が一、筆記部２０からインクの流出があったとしても、インクが外部へ流出するのを阻むことができる。
【００４１】
前記状態において、キャップ部４０を筆記部軸方向に沿って引っ張ると、図５（ａ）（ｂ）に示すように、キャップ部４０及びのアーム部５０が、第一の案内溝１１ｂに沿って前方へスライドする。この際、アーム部５０の第一の被ガイド凹部５１は、第一のガイド凸部１１ｄに沿って直進する。また、第二の被ガイド凹部５２は、第一案内部５２ａを第二のガイド凸部１１ｅに沿わせて直進する。
そして、前記直進により、キャップ部４０が筆記部２０から離隔するとともに、第一の被ガイド凹部５１の後端部に第一のガイド凸部１１ｄが当接し、且つ第一案内部５２ａの後端部に第二のガイド凸部１１ｅが当接する（図５（ｂ）参照）。
【００４２】
次に、図６（ｃ）に示すように、キャップ部４０及びアーム部５０が筆記部軸方向に交差する一方向へ押圧されると、キャップ部４０及びアーム部５０は、第一のガイド凸部１１ｄを中心にして回動し、アーム部５０の側面を第二の案内溝１１ｃの内側面に当接するとともに、第二の被ガイド凹部５２の第二案内部５２ｂと第三案内部５２ｃの交差部分に第二のガイド凸部１１ｅを位置させて、その回動を停止する。
【００４３】
次に、図６（ｄ）に示すように、キャップ部４０及びアーム部５０が前方から押圧されると、キャップ部４０及びアーム部５０は、第二の案内溝１１ｃに沿って直線的に後退し、該アーム部５０の後端部が規制突起１１ｃ１に当接する。また、この後退に伴い、第一の被ガイド凹部５１が第一のガイド凸部１１ｄに沿って後退するとともに、第二の被ガイド凹部５２の第三案内部５２ｃが第二のガイド凸部１１ｅに沿って後退する。そして、第二のガイド凸部１１ｅが第三案内部５２ｃ前端側の乗越え突起５２ｃ１を乗越えることで、アーム部５０が容易に移動しないように係止される。
【００４４】
そして、この状態で、図７に示すように、本体部１１が、親指ｐと人差指ｉによって厚み方向に挟まれるとともにその下方側から中指ｍによって受けられるようにして把持され、筆記部２０前端の直線状部分２１が被筆記面Ｘに当接されて筆記が行われる。この際、キャップ部４０は、上記のように後退した状態で係止されているため、筆記の邪魔になることがない。
【００４５】
また、筆記部２０にキャップ部４０を被せる際には、上記と逆の動作を行えばよい。
【００４６】
また、上記構成のキャップ付き筆記具１は、図８に示すように、複数重ね合わせるようにして接続することが可能である。詳細に説明すれば、下側のキャップ付き筆記具１に対し、上側のキャップ付き筆記具１を重ね合わせ押圧すれば、下側のキャップ付き筆記具１の被接続部１１ｇに対し、上側のキャップ付き筆記具１の接続部１１ｆが嵌り合い、上下のキャップ付き筆記具１，１が安定した接続状態となる。
よって、複数のキャップ付き筆記具１を省スペースに接続することができ、ひいては、当該キャップ付き筆記具１の収納性や搬送性等を向上することができる。
【００４７】
＜キャップ付き筆記具２について＞
次に、本実施の形態の他の具体例について説明する。なお、以下に示すキャップ付き筆記具において、上述したキャップ付き筆記具１と略同構造の箇所については、同一の符号を付けることで重複する詳細説明を省略する。
【００４８】
図９〜図１１に示すキャップ付き筆記具２は、軸筒１０’と、該軸筒１０’に不動に設けられた筆記部２０と、軸筒１０’内で筆記部２０へインクを供給するインク含浸体（図示せず）と、筆記部２０に被せられたキャップ部４０’と、該キャップ部４０’を前端側に接続するとともにその後端側が軸筒１０に支持された一対のアーム部５１’，５２’と、キャップ部４０’が筆記部２０から離隔した際にキャップ部４０’及びアーム部５１’，５２’に対し軸筒１０を回動させる第一の付勢部材６０と、アーム部５１’，５２’に対し軸筒１０’を近づける方向（図１０によれば左方向）へ付勢する第二の付勢部材７０とを具備している。
【００４９】
軸筒１０’は、図示しないインク含浸体を内在する本体部１１’と、該本体部１１’から前方へ突出して筆記部２０を保持する筒状保持部１２’とを有する。
【００５０】
本体部１１’は、筆記部軸方向に対し直交する一方向（図１０の上下方向）の寸法が、該一方向に直交し且つ筆記部軸方向に対しても直交する他方向（図１０の奥行手前方向）の寸法よりも小さい扁平中空状に形成され（図９参照）、その内部の空間にインク含浸体（図示せず）を有する。前記インク含浸体（図示せず）は、上記キャップ付き筆記具１のインク含浸体３０と同構造のものを用いることが可能である。
この本体部１１’における前記一方向の両端部には、後述するアーム部５１’，５２’を支持するための支持軸１１ａ’，１１ｂ’が設けられる。
【００５１】
なお、図中、符号１１ｃ’，１１ｄ’は、複数のキャップ付き筆記具２を厚み方向へ着脱するための凹部と凸部である。
【００５２】
筒状保持部１２’は、本体部１１’前端から筆記部軸方向に沿って前方へ突出するとともに、その内部を本体部１１’内の前記空間に連通させた円筒状に形成されている。この筒状保持部１２’内には、筆記部２０の外周面を不動に保持する複数のリブ（図示せず）が設けられ、これらリブ間の隙間はインクの吐出に伴って外気を導入する通気路として作用する。
【００５３】
キャップ部４０’は、前端側を閉鎖した有底円筒状に形成され、軸筒１０’に相対し筆記部軸方向に沿って後退することにより筆記部２０に被さり、逆方向へ前進することにより筆記部２０から離れるように設けられる。
このキャップ部４０’は、後端側の内縁を軸筒１０’の筒状保持部１２’前端外周面に全周にわたって嵌め合せ、内部を気密に保持する。
このキャップ部４０’は、アーム部５１’，５２’の前端に一体的に接続される。
図示例によれば、キャップ部４０’は、複数の部材からなるが、他例としては、単一の部材からなる構成や、後述するアーム部５１’，５２’と一体の部材とした構成等することが可能である。
【００５４】
一対のアーム部５１’，５２’は、一体Ｕ字状に成形され、その前端側に、上記キャップ部４０’を嵌合固定している。
また、これらアーム部５１’，５２’間の後端側は、軸筒１０’に対し、筆記部軸方向へ進退自在であって且つ回転自在に枢支される。
【００５５】
一方のアーム部５１’は、他方のアーム部５２’に対向する内壁部に、軸筒１０の支持軸１１ａ’を挿通し支持する支持孔５１ａ’を有する。
同様に、他方のアーム部５２’は、一方のアーム部５１’に対向する内壁部に、軸筒１０の支持軸１１ｂ’を挿通し支持する支持孔５２ａ’を有する。
【００５６】
支持孔５１ａ’，５２ａ’は、それぞれ、アーム部５１’，５２’の長手方向へわたる長尺状の孔であり、支持軸１１ａ’，１１ｂ’を回転自在且つ進退自在に支持する。
【００５７】
第一の付勢部材６０は、一端側を軸筒１０’側の支持軸１１ａ’に止着するとともに、他端側を一方のアーム部５１’に接触させて、支持軸１１ａ’に巻かれたねじりコイルバネであり、アーム部５１’を一方向へ回転させるように付勢している。
この第一の付勢部材６０は、アーム部５１’，５２’が軸筒１０’に相対し進退する際には、前記他端側（図１０によれば、第一の付勢部材６０の左端部）をアーム部５１’の内壁面に摺接させる。
【００５８】
第二の付勢部材７０は、一端側を軸筒１０’側の支持軸１１ｂ’に、該支持軸１１ｂ’の回転を妨げないように止着するとともに、他端側を他方のアーム部５２’に止着した引張バネであり、筆記部２０の前方にキャップ部４０’を配置した状態のアーム部５２’に対し、軸筒１０’を後退方向（図１１によれば左方向）へ付勢する。
【００５９】
次に、上記構成のキャップ付き筆記具２について、その特徴的な作用効果を詳細に説明する。
【００６０】
図１０（ａ）に示す筆記部収納状態では、筆記部２０にキャップ部４０’が覆い被せられ、キャップ部４０’の後端側の内周面が、軸筒１０’における筒状保持部１２’の前端側外周面に対し全周にわたって密接して嵌合し、この嵌合状態が第二の付勢部材７０の引張力により保持される。
したがって、この状態では、万が一、筆記部２０からインクの流出があったとしても、インクが外部へ流出するのを阻むことができる。
【００６１】
前記状態において、キャップ部４０’に対し軸筒１０’が手指等により筆記部軸方向に沿って引っ張られると、図１０（ａ）（ｂ）に示すように、該軸筒１０’が第二の付勢部材７０の引張力に抗して後方（図１１によれば右方向）へスライドする。この際、軸筒１０’側の支持軸１１ａ’，１１ｂ’は、アーム部５１’，５２’の支持孔５１ａ’，５２ａ’に沿って後方へ直進する。
そして、前記直進により、筆記部２０がキャップ部４０’から離隔するとともに、軸筒１０’側の支持軸１１ａ’，１１ｂ’が、それぞれ、アーム部５１’，５２’の支持孔５１ａ’，５２ａ’の後端内縁に当接する（図１０（ｂ）参照）。
【００６２】
次に、軸筒１０’から手指等を離すと、軸筒１０’は、第一の付勢部材６０の付勢力によって筆記部軸方向に交差する方向へ自動的に回転し、元の状態から１８０度回転した位置となる（図１１（ｃ）参照）。
そして、この回転後の位置で、軸筒１０’は、第二の付勢部材７０に引っ張られて、キャップ部４０’及びアーム部５１’，５２’に対し近付き、支持軸１１ａ’，１１ｂ’の外周面を、それぞれ支持孔５１ａ’，５２ａ’の後端内縁に当接させて静止する（図１１（ｄ）参照）。
【００６３】
この状態で、本体部１１’が、親指と人差指によって厚み方向に挟まれるとともにその下方側から中指によって受けられるようにして把持され、筆記が行われる（図示せず）。この際、キャップ部４０’及びアーム部５１’，５２’は、軸筒１０’後部寄りに位置するため（図１１（ｄ）参照）、筆記の邪魔になることがない。
【００６４】
また、筆記部２０にキャップ部４０’を被せて嵌合する際には、上記と逆の動作を行えばよい。
【００６５】
なお、図示例によれば、キャップ部４０（又は４０’）を進退及び回動させる好ましい構造として、キャップ部４０（又は４０’）と一体のアーム部５０（又は５１’，５２’）を軸筒１０（又は１０’）に対し進退可能且つ回動可能に枢支したが、他例としては、アーム部を軸筒に対し回動可能に枢支するとともに、キャップ部をアーム部に対し進退可能に接続した態様とすることも可能である。
【００６６】
また、図示例によれば、特に好ましい態様として、キャップ部４０（又は４０’）を一対のアーム部５０，５０（又は５１’，５２’）によって支持するようにしたが、他例としては、キャップ部を単一のアーム部によって支持する構成とすることも可能である。
【００６７】
また、図示例によれば、特に省スペースで収納性や搬送性の良好な構造として、軸筒１０（及び１０’）を扁平状に形成したが、他例としては、軸筒を円筒状や角柱状等の他形状に形成することも可能である。
【００６８】
また、図示例のキャップ付き筆記具１，２は、ラインマーカーや、蛍光ペン、蛍光マーカー、ホワイトボードマーカー、フェルトペン、サインペン等を含むマーキングペンとして構成したが、他例としては、略同様の構造を用いて、ボールペンや修正ペン等を構成することも可能である。
【００６９】
また、図示例によれば、軸筒１０，１０’、キャップ部４０，４０’及びアーム部５０，５１’，５１’は、それぞれ合成樹脂材料により成形されるが、キャップ４０，４０’の着脱や二つのマーキングペン１，１（又は２，２）同士の連結及び離脱を可能にする程度の弾性を有すれば、金属材料等、他の材料から形成することも可能である。
【００７０】
また、図示例のキャップ付き筆記具２に付加する構成として、軸筒１０’がキャップ部４０’から離隔して略１８０度回動した状態で、アーム部５１’，５２’を軸筒１０’に係脱可能に係止する係止手段を設けるようにしてもよい。この係止手段は、例えば、アーム部５１’，５２’と軸筒１０’とのうちの一方に、係止突起を設けるとともに、その他方に、前記回動によって乗り越え嵌合し逆方向への回動により外れる被係止突起を設ければよい。
【符号の説明】
【００７１】
１，２：キャップ付き筆記具            １０，１０’：軸筒
１１，１１’：本体部                  １１ｂ：第一の案内溝
１１ｃ：第二の案内溝                  １１ｄ：第一のガイド凸部
１１ｅ：第二のガイド凸部              １１ｆ：接続部
１１ｇ：被接続部                      １２：筒状保持部
２０：筆記部                          ４０，４０’：キャップ部
５０，５１’，５２’：アーム部          ５１：第一の被ガイド凹部
５２：第二の被ガイド凹部              ５２ａ：第一案内部５２ａ
５２ｂ：第二案内部                    ５２ｃ：第三案内部
【図１】
2014091226.tif 000003
【図２】
2014091226.tif 000004
【図３】
2014091226.tif 000005
【図４】
2014091226.tif 000006
【図５】
2014091226.tif 000007
【図６】
2014091226.tif 000008
【図７】
2014091226.tif 000009
【図８】
2014091226.tif 000010
【図９】
2014091226.tif 000011
【図１０】
2014091226.tif 000012
【図１１】
2014091226.tif 000013